(57)【要約】      （修正有）【課題】掘削作業時のバケットエッジ部近辺の土砂漏れやバケットエッジ部の摩耗、損傷を防止又は低減できるショベル機械用のバケットに付設されるツース盤を提供する。【解決手段】ツース盤１は、各々基端側にバケット側から突出させたアダプターが装着可能な嵌入用凹陥部１２、２２、３２を設け、各々突出端側に掘削用の土砂等に食い込ませる歯部１５、２５、３５を露出状態に設けた右ツース部材２１、１個又は複数個の中央ツース部材１１、及び左ツース部材３１の並設構造であり、右ツース部材と中央ツース部材間、左ツース部材と中央ツース部材間、及び複数個の中央ツース部材を用いた場合の各中央ツース部材相互間の各間隔を調整可能とするとともに、各上面遮蔽部材１７、２７の基端側をバケットエッジ部の略真上に至る範囲に突出させ、各間隔調整用突出部１４、３６の基端側をバケットエッジ部の近傍に至る範囲に突出させた構成とした。【選択図】図１
0003201898.tif 000002
【実用新案登録請求の範囲】
【請求項１】
各基端側にバケット側から突出させたアダプターが装着可能な嵌入用凹陥部を設け、各突出端側に掘削用の土砂等に食い込ませる歯部を露出状態に設けた右ツース部材、中央ツース部材、及び左ツース部材の並設構造でショベル機械用のバケットに付設されるツース盤であって、
前記ツース盤の突出端側から見て、前記右ツース部材の中央ツース部材側の左側面部に、上面遮蔽部材を用いた前記中央ツース部材用の間隔調整用凹陥部を設け、前記左ツース部材の中央ツース部材側の右側面部に、中央ツース部材の左側面部内に嵌入する間隔調整用突出部を設け、前記中央ツース部材は、右側面部に間隔調整用突出部を具備し、左側面部に上面遮蔽部材を用いた間隔調整用凹陥部を具備し、前記各歯部を並設方向で一直線状態を維持しつつ前記各ツース部材間の並設方向の間隔調整を各々可能とするとともに、
前記各上面遮蔽部材の基端側を前記バケットのバケットエッジ部の略真上に至る範囲に突出させ、前記各間隔調整用突出部の基端側を前記バケットのバケットエッジ部の近傍に至る範囲に突出させたこと、
を特徴とするショベル機械用のバケットに付設されるツース盤。
【請求項２】
各基端側に連結ピン用のピン穴を具備し、バケット側から突出させたアダプターが装着可能な嵌入用凹陥部を設け、各突出端側に掘削用の土砂等に食い込ませる歯部を露出状態に設けた右ツース部材、１個又は複数個の中央ツース部材、及び左ツース部材の並設構造でショベル機械用のバケットに付設されるツース盤であって、
前記ツース盤の突出端側から見て、前記右ツース部材の中央ツース部材側の左側面部に、上面を土砂等が基端側から突出端側に流落可能な形状とした上面遮蔽部材を用いた前記中央ツース部材用の間隔調整用凹陥部を設けるとともに、前記上面遮蔽部材の基端側からバケットのバケットエッジ部の略真上に至る範囲に突出させた延長板部を設け、
前記左ツース部材の中央ツース部材側の右側面部に、中央ツース部材の左側面部内に嵌入するするとともに上面を土砂等が基端側から突出端側に流落可能な形状とした間隔調整用突出部を設けるとともに、この間隔調整用突出部の基端側からバケットのバケットエッジ部の近傍に至る範囲に突出させた延長板部を設け、
前記中央ツース部材は、右側面部にその基端側からバケットのバケットエッジ部の近傍に至る範囲に突出させた延長板部を備え上面を土砂等が基端側から突出端側に流落可能な形状とした間隔調整用突出部を具備し、左側面部にその基端側からバケットのバケットエッジ部の略真上に至る範囲に突出させた延長板部を備え上面を土砂等が基端側から突出端側に流落可能な形状とした上面遮蔽部材を用いた間隔調整用凹陥部を具備し、
前記中央ツース部材の間隔調整用突出部における前記右ツース部材の間隔調整用凹陥部に対するスライド嵌合変位、及び前記左ツース部材の間隔調整用突出部の前記中央ツース部材の間隔調整用凹陥部に対するスライド嵌合変位、並びに、前記中央ツース部材が複数個の場合の隣り合う中央ツース部材同士のスライド嵌合変位によって、前記各歯部を並設方向で一直線状態を維持しつつ前記各ツース部材間の並設方向の間隔調整を各々可能とするとともに、
前記各上面遮蔽部材の延長板部により、このツース盤が付設されているバケットにおけるバケットエッジ部の各々対応する略真上の領域に至る範囲を各々覆うように構成するとともに、前記間隔調整用突出部の各延長板部により、このツース盤が付設されているバケットにおけるバケットエッジ部の近傍領域に至る範囲を各々覆うように構成したこと、
を特徴とするショベル機械用のバケットに付設されるツース盤。
【請求項３】
各基端側に連結ピン用のピン穴を具備し、バケット側から突出させたアダプターが装着可能な嵌入用凹陥部を設け、各突出端側に掘削用の土砂等に食い込ませる歯部を露出状態に設けた右ツース部材、１個又は２個以上複数個の中央ツース部材、及び左ツース部材の並設構造でショベル機械用のバケットに付設されるツース盤であって、
前記ツース盤の突出端側から見て、前記右ツース部材の中央ツース部材側の左側面部に上面を土砂等が基端側から突出端側に流落可能な形状とした上面遮蔽部材と、この上面遮蔽部材と一定間隔を有し前記歯部と段違いで連なる底面部材とによる前記中央ツース部材用の間隔調整用凹陥部を設けるとともに、前記上面遮蔽部材の基端側からバケットのバケットエッジ部の略真上に至る範囲に突出させた延長板部を設け、
前記左ツース部材の中央ツース部材側の右側面部に、中央ツース部材の左側面部内に嵌入するするとともに上面を土砂等が基端側から突出端側に流落可能な形状とした間隔調整用突出部を設けるとともに、この間隔調整用突出部の基端側からバケットのバケットエッジ部の近傍に至る範囲に突出させた延長板部を設け、
前記中央ツース部材は、右側面部にその基端側からバケットのバケットエッジ部の近傍に至る範囲に突出させた延長板部を備え上面を土砂等が基端側から突出端側に流落可能な形状とした間隔調整用突出部を具備し、左側面部にその基端側からバケットのバケットエッジ部の略真上に至る範囲に突出させた延長板部を備え上面を土砂等が基端側から突出端側に流落可能な形状とした上面遮蔽部材と、この上面遮蔽部材と一定間隔を有し前記歯部と段違いで連なる底面部材とによる間隔調整用凹陥部を具備し、
前記中央ツース部材における前記間隔調整用突出部を、前記右ツース部材の間隔調整用凹陥部、又は隣りに配置する別の中央ツース部材の間隔調整用凹陥部にスライド嵌入する構成とし、前記間隔調整用凹陥部には、前記左ツース部材の間隔調整用突出部、又は隣りに配置する別の中央ツース部材の間隔調整用突出部がスライド嵌入する構成とし、
前記１個又は２個以上複数個並設の中央ツース部材の右側に右ツース部材を配置し、左側に左ツース部材を配置した並設構造で、
前記中央ツース部材の間隔調整用突出部の前記右ツース部材の間隔調整用凹陥部に対するスライド嵌合変位、及び前記左ツース部材の間隔調整用突出部の前記中央ツース部材の間隔調整用凹陥部に対するスライド嵌合変位、並びに、前記中央ツース部材が２個以上の場合の隣り合う中央ツース部材同士のスライド嵌合変位によって、前記各歯部を並設方向で一直線状態を維持しつつ前記各ツース部材間の並設方向の間隔調整を各々可能とするとともに、
前記各上面遮蔽部材の延長板部により、このツース盤が付設されているバケットにおけるバケットエッジ部の各々対応する略真上の領域に至る範囲を各々覆うように構成するとともに、前記間隔調整用突出部の各延長板部により、このツース盤が付設されているバケットにおけるバケットエッジ部の近傍領域に至る範囲を各々覆うように構成したこと、
を特徴とするショベル機械用のバケットに付設されるツース盤。
【請求項４】
前記右ツース部材、中央ツース部材、左ツース部材の並設構造は、右ツース部材、左ツース部材が各々１個で、中央ツース部材が３個のツース部材５連並設構造、又は右ツース部材、左ツース部材が各々１個で、前記中央ツース部材が２個のツース部材４連並設構造、或いは右ツース部材、左ツース部材が各々１個で、中央ツース部材が１個のツース部材３連並設構造又はそれ以外の構造を持った連続並設構造のいずれかのうちから選定されることを特徴とする請求項１乃至３のいずれか１項に記載のショベル機械用のバケットに付設されるツース盤。
【請求項５】
請求項１乃至４のいずれか１項に記載のツース盤を備えることを特徴とするショベル機械用のバケット。
【考案の詳細な説明】
【技術分野】
【０００１】
本考案は、土木工事等に使用するショベル機械用のバケットに付設されるツース盤及び該ツース盤を備えるショベル機械用のバケットに関し、詳しくは、複数のツース部材を間隔調整可能に並設して異なるサイズのバケットに対応可能であるとともに、間隔調整を行っても作業効率の低下を招くことが無く、更にバケットのバケットエッジ部の摩耗、損傷等も低減可能なショベル機械用のバケットに付設されるツース盤及び該ツース盤を備えるショベル機械用のバケットに関するものである。
【背景技術】
【０００２】
従来、パワーショベルやショベルローダなどのショベル機械のバケットには、その底部先端位置にアダプター部材の基部を溶接その他の方法により止着し、このアダプター部材に整地作業用のツース盤の係合凹部を被嵌し、ロックピン部材などの固定手段によりアダプター部材とツース盤とを一体的に固定し、これにより掘削した土砂や砂利や岩片などの整地や運搬車などへの積み込みを行っていた。
【０００３】
この種のツース盤においては、異なるサイズのバケットに対応するために複数のツース部材を間隔調整可能に並設し、その全幅が広狭に変更可能であることが好ましい。
【０００４】
この種のツース盤におけるツース部材、アダプター連結構造の従来の例について図１０、図１１を参照して説明する。
【０００５】
図１０は図示しないがバケットの端部側からバケットエッジ（リップ部）１１１を突出させ、このバケットエッジ（リップ部）１１１に取り付けたアダプター１１２に対してツース部材１０１を装着し、一体化した状態を示すものである。
【０００６】
図１１は、図示しないがバケットのバケットエッジ部１２１と同方向に並設するツース部材１０１、１０１同士をスライド嵌合構造で組み合わせ、このようなツース部材１０１を４連又は５連等に並設してツース盤を構成する例を示すものである。
【０００７】
前記ツース部材１０１は、その中央部の基端側に連結ピン１０３用のピン穴１０４を具備し、バケット側から突出させたアダプター１１２が装着可能な嵌入用凹陥部１０２を設けているとともに、突出端側に掘削用の土砂等に食い込ませる歯部１０５を露出状態に設けている。
【０００８】
また、ツース部材１０１は、図１１において、嵌入用凹陥部１０２の右側面部に土砂等が基端側から突出端側に流落可能な形状とした間隔調整用突出部１０６を具備し、左側面部に上面を土砂等が基端側から突出端側に流落可能な形状とした上面遮蔽部材１０７を用いた間隔調整用凹陥部１０８を具備している。
【０００９】
そして、隣り合うツース部材１０１、１０１のうちの一方におけるツース部材１０１の間隔調整用突出部１０６を、他方のツース部材１０１の間隔調整用凹陥部１０８に嵌合させ、各ツース部材１０１、１０１の嵌入用凹陥部１０２、１０２の中心位置間の寸法を隣り合うアダプター１１２、１１２間の寸法に合致するように間隔調整しつつ各アダプター１１２に対して各ツース部材１０１の嵌入用凹陥部１０２を装着し、連結ピン１０３をピン穴１０４に打ち込んで、これらを各アダプター１１２に一体的に取り付けるものである。
【００１０】
この場合に、上面遮蔽部材１０７においてはその基端側がバケットエッジ部１２１の略真上に至る位置まで延長されているが、間隔調整用突出部１０６の基端側の位置はツース盤自体の基端側の位置と合致する位置である。
【００１１】
この結果、図１１に示すように、一方におけるツース部材１０１の間隔調整用突出部１０６を、他方のツース部材１０１の間隔調整用凹陥部１０８に嵌合させて行う両ツース部材１０１、１０１の間隔調整を行った際、特に両ツース部材１０１、１０１の間隔を大とした際に、間隔調整用突出部１０６の基端側と、バケットエッジ部１２１との間に大きな隙間Ｓ（図１１において黒塗り楕円形で示す）が生じてしまい、掘削作業時において隙間Ｓからの土砂漏れによる作業効率低下を招いたり、ショベル系掘削機用のバケットエッジ（リップ部）が掘削作業時に露出することから、該バケットエッジ（リップ部）バケットエッジ部１２１の摩耗による耐久性が損なわれるという問題を包含していた。
【００１２】
特許文献１には、本考案の関連技術として、ショベル系掘削機のバケットの掘削縁部にアダプターを介して着脱自在に突設されるツース部材であって、上記ツース部材は上記アダプターが嵌入可能な嵌入凹部及び掘削作用をなす歯板部からなり、該嵌入凹部の裏側の左右方向の一方部に間隙設定部を突設し、該間隙設定部の一方側部に該歯板部を構成する差込板部を形成し、該間隙設定部の他方側部に該歯板部を構成する裏側板部を形成し、該嵌入凹部の他方側部に該裏側板部との間に該差込板部を差込可能な差込間隙を存して押さえ板部を突設する構成としたショベル系掘削機用ツース部材が開示されている。
【００１３】
しかし、特許文献１のショベル系掘削機用ツース部材においては、嵌入凹部の裏側の左右方向の一方部に間隙設定部を突設し、該間隙設定部の一方側部に該歯板部を構成する差込板部を形成した構成であり、従来例で述べたような土砂漏れやバケットエッジ部の摩耗に対する格別の対策を講じたものではない。
【先行技術文献】
【特許文献】
【００１４】
【特許文献１】特開２０１０−６５４２１号公報
【考案の概要】
【考案が解決しようとする課題】
【００１５】
本考案が解決しようとする問題点は、複数のツース部材を間隔調整可能に並設しその全幅が広狭に変更可能であるツース盤であって、当該全幅の広狭に関わらず掘削作業時の土砂漏れやバケットエッジ部の摩耗、損傷等を防止又は低減し得るようなショベル機械用のバケットに付設されるツース盤が従来存在しない点である。
【課題を解決するための手段】
【００１６】
本考案は、各々基端側にバケット側から突出させたアダプターに装着可能な嵌入用凹陥部を設け、各々突出端側に掘削用の土砂等に食い込ませる歯部を露出状態に設けた右ツース部材、中央ツース部材、及び左ツース部材の並設構造でショベル機械用のバケットに付設されるツース盤であって、前記ツース盤の突出端側から見て、前記右ツース部材の中央ツース部材側の左側面部に、上面遮蔽部材を用いた前記中央ツース部材用の間隔調整用凹陥部を設け、前記左ツース部材の中央ツース部材側の右側面部に、中央ツース部材の左側面部内に嵌入する間隔調整用突出部を設け、前記中央ツース部材は、右側面部に間隔調整用突出部を具備し、左側面部に上面遮蔽部材を用いた間隔調整用凹陥部を具備し、前記各歯部を並設方向で一直線状態を維持しつつ前記各ツース部材間の並設方向の間隔調整を各々可能とするとともに、前記各上面遮蔽部材の基端側を前記バケットのバケットエッジ部の略真上に至る範囲に突出させ、前記各間隔調整用突出部の基端側を前記バケットのバケットエッジ部の近傍に至る範囲に突出させた構成としたことを最も主要な特徴とする。
【考案の効果】
【００１７】
請求項１記載の考案によれば、バケットエッジ部近辺領域の土砂等の漏れ落ちを防止して掘削作業の作業効率の向上を図ることができ、一台でサイズが広狭に異なるバケットに対しても各ツース部材の間隔調整に一層柔軟に対応でき、更にバケットエッジ部の摩耗、損傷も回避又は低減でき、バケット自体の長寿命化を図ることも可能なショベル機械用のバケットに付設されるツース盤を実現し、提供することができる。
【００１８】
請求項２、３記載の考案によれば、各々突出端側に掘削用の土砂等に食い込ませる歯部を露出状態に設けた右ツース部材、１個又は複数個の中央ツース部材、及び左ツース部材の並設構造で、各上面遮蔽部材の延長板部により、このツース盤が付設されているバケットにおけるバケットエッジ部の各々対応する略真上の領域に至る範囲を各々覆うように構成するとともに、間隔調整用突出部の各延長板部により、このツース盤が付設されているバケットにおけるバケットエッジ部の近傍領域に至る範囲を各々覆うように構成したことにより、請求項１記載の考案と同様、バケットエッジ部近辺領域の土砂等の漏れ落ちを防止して掘削作業の作業効率の向上を図ることができ、一台でサイズが広狭に異なるバケットに対しても各ツース部材の間隔調整に一層柔軟に対応でき、更にバケットエッジ部の摩耗、損傷も回避又は低減でき、バケット自体の長寿命化を図ることも可能なショベル機械用のバケットに付設されるツース盤を実現し、提供することができる。
【００１９】
請求項４記載の考案によれば、右ツース部材、中央ツース部材、及び左ツース部材の並設構造は、前記右ツース部材、左ツース部材が各々１個で、前記中央ツース部材が３個のツース部材５連並設構造、前記右ツース部材、左ツース部材が各々１個で、前記中央ツース部材が２個のツース部材４連並設構造、又は前記右ツース部材、左ツース部材が各々１個で、前記中央ツース部材が１個のツース部材３連並設構造又はそれ以外の構造を持った連続並設構造のうちから選定される構成としているので、請求項１記載の考案と同様な効果を奏し、特に一台でサイズが広狭に異なるバケットに対してもツース部材の並設個数の変更に一層柔軟に対応することができるショベル機械用のバケットに付設されるツース盤を実現し、提供することができる。
【００２０】
請求項５記載の考案によれば、土砂等の掘削作業時において、バケットエッジ部の近辺領域から土砂等が漏れ落ちることが殆どなくなり、作業効率の低下を招くことを回避でき、土砂等の掘削作業時の作業効率に優れ、また、バケットエッジ部の摩耗等を防止でき長寿命化を図れるという斬新な機能を発揮するショベル機械用のバケットを提供することができる。
【図面の簡単な説明】
【００２１】
【図１】図１は本考案の実施例に係るショベル機械用のバケットに付設されるツース盤において３個並設の中央ツース部材の両側に右ツース部材、左ツース部材を装着した構成を示す概略斜視図である。
【図２】図２は本実施例に係るツース盤において図１に示す各中央ツース部材、右ツース部材、左ツース部材を分離状態とした概略斜視図である。
【図３】図３は本実施例に係るツース盤における中央ツース部材の正面図、平面図、底面図、左側面図、右側面図及び背面図の各図を示すものである。
【図４】図４は本実施例に係るツース盤における右ツース部材の正面図、平面図、底面図、左側面図、右側面図及び背面図の各図を示すものである。
【図５】図５は本実施例に係るツース盤における左ツース部材の正面図、平面図、底面図、左側面図、右側面図及び背面図の各図を示すものである。
【図６】図６は本実施例に係るツース盤における例えば中央ツース部材をアダプターに装着した状態を示す概略断面図である。
【図７】図７は本実施例に係るツース盤を構成するツース部材によるバケットエッジ部領域の覆い状態を示す拡大説明図である。
【図８】図８は本実施例に係るツース盤の変形例であるツース部材を４連並設構造としたツース盤の概略斜視図である。
【図９】図９は本実施例に係るツース盤を備えるショベル機械用のバケットの概略斜視図である。
【図１０】図１０は従来のツース盤をアダプターに装着した状態を示す概略断面図である。
【図１１】図１１は従来のツース盤を構成するツース部材によるバケットエッジ部領域の覆い状態を示す拡大説明図である。
【考案を実施するための形態】
【００２２】
本考案は、複数のツース部材を間隔調整可能に並設しその全幅が広狭に変更可能であるとともに、当該全幅の広狭に関わらず掘削作業時の土砂漏れやバケットエッジ部の摩耗、損傷等を防止又は低減することができるショベル機械用のバケットに付設されるツース盤を提供するという目的を、各基端側に連結ピン用のピン穴を具備し、バケット側から突出させたアダプターが装着可能な嵌入用凹陥部を設け、各突出端側に掘削用の土砂等に食い込ませる歯部を露出状態に設けた右ツース部材、１個又は複数個の中央ツース部材、及び左ツース部材の並設構造でショベル機械用のバケットに付設されるツース盤であって、前記ツース盤の突出端側から見て、前記右ツース部材の中央ツース部材側の左側面部に、上面を土砂等が基端側から突出端側に流落可能な形状とした上面遮蔽部材を用いた前記中央ツース部材用の間隔調整用凹陥部を設けるとともに、前記上面遮蔽部材の基端側からバケットのバケットエッジ部の略真上に至る範囲に突出させた延長板部を設け、前記左ツース部材の中央ツース部材側の右側面部に、中央ツース部材の左側面部内に嵌入するするとともに上面を土砂等が基端側から突出端側に流落可能な形状とした間隔調整用突出部を設けるとともに、この間隔調整用突出部の基端側からバケットのバケットエッジ部の近傍に至る範囲に突出させた延長板部を設け、前記中央ツース部材は、右側面部にその基端側からバケットのバケットエッジ部の近傍に至る範囲に突出させた延長板部を備え上面を土砂等が基端側から突出端側に流落可能な形状とした間隔調整用突出部を具備し、左側面部にその基端側からバケットのバケットエッジ部の略真上に至る範囲に突出させた延長板部を備え上面を土砂等が基端側から突出端側に流落可能な形状とした上面遮蔽部材を用いた間隔調整用凹陥部を具備し、前記中央ツース部材の間隔調整用突出部の前記右ツース部材の間隔調整用凹陥部に対するスライド嵌合変位、及び前記左ツース部材の間隔調整用突出部の前記中央ツース部材の間隔調整用凹陥部に対するスライド嵌合変位、並びに、前記中央ツース部材が複数個の場合の隣り合う中央ツース部材同士のスライド嵌合変位によって、前記各歯部を並設方向で一直線状態を維持しつつ前記各ツース部材間の並設方向の間隔調整を各々可能とするとともに、前記各上面遮蔽部材の延長板部により、このツース盤が付設されているバケットにおけるバケットエッジ部の各々対応する略真上の領域に至る範囲を各々覆うように構成するとともに、前記間隔調整用突出部の各延長板部により、このツース盤が付設されているバケットにおけるバケットエッジ部の近傍領域に至る範囲を各々覆うように構成したことにより実現した。
【実施例】
【００２３】
以下、本考案の実施例に係るショベル機械用のバケットに付設されるツース盤及び該ツース盤を備えるショベル機械用のバケットについて図１乃至図９を参照して詳細に説明する。
【００２４】
本実施例に係るショベル機械用のバケット５１（詳細は後述する）に付設されるツース盤（以下「ツース盤」という）１は、図１乃至図５に示すように、全体として５連並設構造となる３個の中央ツース部材１１、右ツース部材２１、左ツース部材３１を具備し、これらをショベル機械用のバケット５１に取り付けたアダプター４１に着脱可能に付設する構成としている。
【００２５】
なお、図１において、ツース盤１に関する右、中央、左の方向性を同図に示すように定義して以下の説明を行う。
【００２６】
前記中央ツース部材１１は、図１、図２及び図３に示すように、基端側の端辺の並設方向の中央近傍から突出方向に向かって前記アダプター４１装着用の嵌入用凹陥部１２を形成するピン穴１２ａ付きの例えば四角筒状でその上面が突出端側に向かって降下する傾斜形状のアダプター用筒体部１３を設け、アダプター用筒体部１３よりも突出端側に平坦部１３ａを設け、この平坦部１３ａの突出端側の端辺に掘削用の土砂等に食い込ませる歯部１５を露出状態で設け、並設方向の略中央から右側を右ツース部材２１、又は他の中央ツース部材１１にスライド嵌入させる間隔調整用突出部１４とし、並設方向の略中央から左側を左ツース部材３１用の、又は左側に並設する他の中央ツース部材１１用の間隔調整用凹陥部１６とした中央ツース部材本体１１Ａを具備している。
【００２７】
前記傾斜形状のアダプター用筒体部１３と平坦部１３ａとにより、土砂等が突出端側に流落し易い形状としている。
【００２８】
前記アダプター用筒体部１３内の嵌入用凹陥部１２は、前記アダプター４１の外形に対応して開口部からその内方一定の範囲が直方体状の空間で、更にその突出端側に先細の空間を形成する形状としている。
【００２９】
そして、前記嵌入用凹陥部１２内に前記アダプター４１を装着し、前記ピン穴１２ａを貫通させた図示しないピンを前記アダプター４１に嵌着することで、中央ツース部材１１をアダプター４１を介してバケット５１に付設するように構成している。
【００３０】
前記中央ツース部材１１における間隔調整用突出部１４は、前記アダプター用筒体部１３より右側に設けた斜面部領域１４ａと、この斜面部領域１４ａより突出方向側で、かつ、前記歯部１５の右側に至る範囲の領域に設けた平坦部領域１４ｂとを具備し、斜面部領域１４ａから平坦部領域１４ｂの方向に土砂等が流落し易い形状としている。
【００３１】
更に、前記間隔調整用突出部１４は、前記斜面部領域１４ａの基端側からバケット５１のバケットエッジ部５１ａの近傍に至る範囲まで突出させた延長板部１４ｃを具備している。
【００３２】
前記間隔調整用凹陥部１６は、前記アダプター用筒体部１３より左側に一体的に設けた突出端側が土砂等が流落し易いように下降する傾斜形状とした上面遮蔽部材１７と、この上面遮蔽部材１７とは一定間隔を有する下方に位置し、前記平坦部１３ａの左側端辺に段違いで一体に連なる平坦な底面部材１８との間の空間領域として形成している。
【００３３】
更に、前記間隔調整用凹陥部１６を構成する上面遮蔽部材１７は、その基端側からバケット５１のバケットエッジ部５１ａの略真上の領域に至る範囲を覆う延長板部１７ｃを具備している。
【００３４】
前記右ツース部材２１は、図１、図２及び図４に示すように、基端側の端辺の並設方向の略中央から突出方向に向かって前記アダプター４１装着用の嵌入用凹陥部２２を形成するピン穴２２ａ付きの四角筒状のアダプター用筒体部２３を設け、アダプター用筒体部２３の右側及び突出端側の端辺に掘削用の土砂等に食い込ませる歯部２５を露出状態で、かつ、並設方向に備える端部突出部２４とし、アダプター用筒体部２３の左側を前記中央ツース部材１１用の間隔調整用凹陥部２６とした右ツース部材本体２１Ａを具備している。
【００３５】
前記右ツース部材２１の基端側から突出端までの寸法は、前記中央ツース部材１１と同一としている。
【００３６】
前記嵌入用凹陥部２２、アダプター用筒体部２３は、前記中央ツース部材１１の場合と同一の形状としている。
【００３７】
前記右ツース部材２１における中央ツース部材１１用の間隔調整用凹陥部２６は、前記間隔調整用凹陥部１６の場合と略同様に、前記アダプター用筒体部２３より左側に一体的に設けた突出端側が土砂等が流落し易いように下降する傾斜形状とした上面遮蔽部材２７と、この上面遮蔽部材２７とは一定間隔を有する下方に設けた平坦な底面部材２８との間の空間領域として形成している。
【００３８】
更に、前記間隔調整用凹陥部２６を構成する上面遮蔽部材２７は、その基端側からバケット５１のバケットエッジ部５１ａの略真上の領域に至る範囲を覆う延長板部２７ｃを具備している。
【００３９】
前記左ツース部材３１は、図１、図２及び図５に示すように、基端側の端辺の並設方向の略中央から突出方向に向かって前記アダプター４１装着用の嵌入用凹陥部３２を形成するピン穴３２ａ付きの四角筒状のアダプター用筒体部３３を設け、アダプター用筒体部３３の左側及び突出端側の端辺に掘削用の土砂等に食い込ませる歯部３５を露出状態で、かつ、並設方向に備える端部突出部３４とし、アダプター用筒体部２３の右側を、前記中央ツース部材１１の場合と同様な構造の間隔調整用突出部３６とした左ツース部材本体３１Ａを具備している。
【００４０】
前記間隔調整用突出部３６は、前記アダプター用筒体部３３より右側に設けた斜面部領域３６ａと、この斜面部領域３６ａより突出方向側で、かつ、前記歯部３５の右側に至る範囲の領域に設けた平坦部領域３６ｂとを具備し、斜面部領域３６ａから平坦部領域３６ｂの方向に土砂等が流落し易い形状としている。
【００４１】
更に、前記間隔調整用突出部３６は、前記斜面部領域３６ａの基端側からバケット５１のバケットエッジ部５１ａの近傍に至る範囲まで突出させた延長板部３６ｃを具備している。
【００４２】
前記左ツース部材３１の基端側から突出端までの寸法は、前記中央ツース部材１１と同一としている。
【００４３】
前記嵌入用凹陥部３２、アダプター用筒体部３３は、前記中央ツース部材１１の場合と同一の形状としている。
【００４４】
上述した本実施例のツース盤１を構成する３個の中央ツース部材１１、右ツース部材２１、左ツース部材３１による５連並設構造によれば、前記中央ツース部材１１の間隔調整用突出部１４の前記右ツース部材２１の間隔調整用凹陥部２６に対するスライド嵌合変位、及び前記左ツース部材３１の間隔調整用突出部３６の前記中央ツース部材１１の間隔調整用凹陥部１６に対するスライド嵌合変位、並びに、３個の前記中央ツース部材１１同士のスライド嵌合変位によって、前記各歯部１５、２５、３５を並設方向で一直線状態を維持しつつ並設方向の間隔調整を広狭に柔軟にすることができ、一台のツース盤１によってサイズが広狭に異なる各種バケット５１に対応することが可能となる。
【００４５】
図６は、同図には図示しないバケット５１の端部からバケットエッジ（リップ部）５２を突出させ、このバケットエッジ（リップ部）５２に取り付けたアダプター４１に対して本実施例に係るツース盤１における例えば中央ツース部材１１を前記アダプター４１に装着した状態を示すものである。前記右ツース部材２１、左ツース部材３１の場合も同様な構造となるものである。
【００４６】
また、図７は、例えば２個の中央ツース部材１１、１１をバケットエッジ部５１ａに沿って並設し、これら中央ツース部材１１、１１の間隔を最大となるようにスライド嵌合調整した状態で２個のアダプター４１、４１と一体的に連結した状態を示すものである。
【００４７】
この場合、バケットエッジ（リップ部）５２の先端部が図７に示すバケットエッジ部５１ａに相当する。
【００４８】
この場合において、図６、図７に示すように、前記中央ツース部材１１における間隔調整用突出部１４における延長板部１４ｃ（図７に重なり合う部分に斜線を付して示す）は、バケットエッジ部５１ａの近傍に至る範囲までの領域を覆い、この延長板部１４ｃに一部重合する隣りの中央ツース部材１１における上面遮蔽部材１７の延長板部１７ｃ（図７に重なり合う部分に斜線を付して示す）は、バケットエッジ部５１ａの略真上に至る範囲の領域を覆う。
【００４９】
これにより、前記各中央ツース部材１１、１１の間隔を最大となるようにスライド嵌合調整した状態においても、このバケットエッジ部５１ａと各中央ツース部材１１、１１との間に従来例のような隙間が生じることが無くなり、掘削作業時における土砂等の漏れ落ちを確実に防止し、作業効率の向上を図ることができる。
【００５０】
また、上述した構成とすることにより、バケットエッジ部５１ａに直接土砂等が接触することが殆ど無くなり、バケットエッジ部５１ａの摩耗、損傷を回避又は低減でき、バケット５１自体の長寿命化を図ることができる。
【００５１】
以上説明した本実施例に係るツース盤１によれば、複数のツース部材を間隔調整可能に並設しその全幅の広狭に関わらず土砂等の漏れ落ちを防止して掘削作業の作業効率の向上を図ることができ、一台でサイズが広狭に異なるバケット５１に対しても各ツース部材の間隔調整や、ツース部材の並設個数の変更に一層柔軟に対応でき、更にバケットエッジ部５１ａの摩耗、損傷も回避又は低減でき、バケット５１自体の長寿命化を図ることも可能となり、斬新で優れた機能を有するツース盤１を実現し、提供することができる。
【００５２】
図８は本実施例に係るツース盤１の変形例である４連並設構造としたツース盤１を示すものであり、２個の中央ツース部材１１、１１の右側に右ツース部材２１を、左側に左ツース部材３１を並設し、４連並設のツース盤１としたものである。
【００５３】
図８に示す変形例のツース盤１によっても、上述した実施例に係るツース盤１の場合と同様な作用、効果を発揮させることができる。
【００５４】
この他、図示しないが１個の中央ツース部材１１の右側に右ツース部材２１を、左側に左ツース部材３１を並設し、３連並設のツース盤１としたり、３個の中央ツース部材１１、１１、１１の右側に右ツース部材２１を、左側に左ツース部材３１を並設し、５連並設のツース盤１としたり又はそれ以外の構造をもって連続的に並設することもでき、使用するバケット５１のサイズの大小に柔軟に対応可能なツース盤１を実現することができる。
【００５５】
図９は、本実施例に係るツース盤１を取り付けたショベル機械用のバケット５１を概略的に示すものであり、前記バケット５１の先端側に並設配置に取り付けた５個のアダプター４１に対して、本実施例に係るツース盤１における右ツース部材２１の嵌入用凹陥部２２、３個の中央ツース部材１１の各嵌入用凹陥部１２、左ツース部材３１の嵌入用凹陥部３２の各間隔を、前記５個のアダプター４１の各間隔と同一となるように調整し、これらを各々対応するアダプター４１に装着し、各連結ピン５３を用いて前記ツース盤１を前記バケット５１の先端側に一体的に、かつ、着脱可能に取り付けたものである。
【００５６】
このようなツース盤１を取り付けたショベル機械用のバケット５１によれば、このバケット５１を使用しての土砂等の掘削作業時において、既述したように、複数のツース部材を間隔調整可能に並設しその全幅の広狭に関わらずバケットエッジ部５１ａの近辺領域から土砂等が漏れ落ちることが殆どなくなり、作業効率の低下を招くことを回避でき、土砂等の掘削作業時の作業効率に優れ、また、バケットエッジ部５１ａの摩耗等を防止でき長寿命化を図れるという斬新な機能を発揮するショベル機械用のバケット５１を提供することができる。
【００５７】
また、前記歯部１５、２５、３５の刃先長を、従来例より例えば１０ｍｍ程度大きくすることで、ツース盤１自体の長寿命化を図ることも可能である。
【産業上の利用可能性】
【００５８】
本考案のツース盤は、パワーショベルやショベルローダ等の掘削等を行う作業機械に用いられる各種バケット用として広範に適用可能である。
【符号の説明】
【００５９】
１    ツース盤
１１    中央ツース部材
１１Ａ  中央ツース部材本体
１２    嵌入用凹陥部
１２ａ  ピン穴
１３    アダプター用筒体部
１３ａ  平坦部
１４    間隔調整用突出部
１４ａ  斜面部領域
１４ｂ  平坦部領域
１４ｃ  延長板部
１５    歯部
１６    間隔調整用凹陥部
１７    上面遮蔽部材
１７ｃ  延長板部
１８    底面部材
２１    右ツース部材
２１Ａ  右ツース部材本体
２２    嵌入用凹陥部
２２ａ  ピン穴
２３    アダプター用筒体部
２４    端部突出部
２５    歯部
２６    間隔調整用凹陥部
２７    上面遮蔽部材
２７ｃ  延長板部
２８    底面部材
３１    左ツース部材
３１Ａ  左ツース部材本体
３２    嵌入用凹陥部
３２ａ  ピン穴
３３    アダプター用筒体部
３４    端部突出部
３５    歯部
３６    間隔調整用突出部
３６ａ  斜面部領域
３６ｂ  平坦部領域
３６ｃ  延長板部
４１    アダプター
５１    バケット
５１ａ  バケットエッジ部
５２    バケットエッジ（リップ部）
５３    連結ピン
【図１】
0003201898.tif 000003
【図２】
0003201898.tif 000004
【図３】
0003201898.tif 000005
【図４】
0003201898.tif 000006
【図５】
0003201898.tif 000007
【図６】
0003201898.tif 000008
【図７】
0003201898.tif 000009
【図８】
0003201898.tif 000010
【図９】
0003201898.tif 000011
【図１０】
0003201898.tif 000012
【図１１】
0003201898.tif 000013